(57)【要約】      （修正有）【課題】フローリング材の接着構造に関し、構造物における床面等にフローリング材を敷設する場合に接着不良や接着剤の食み出しが発生するのを防止したフローリング材の接着構造を提供する。【解決手段】フローリング材２０の裏面に接着剤Ｃを塗布し、基材の表面に接着固定したフローリング材の接着構造において、フローリング材に長手方向に沿って塗布用ガイド溝２４を形成し、この塗布用ガイド溝に接着剤を充填したものである。【選択図】図３
0003185185.tif 000002
【実用新案登録請求の範囲】
【請求項１】
フローリング材の裏面に接着剤を塗布し、基材の表面に接着固定したフローリング材の接着構造において、前記フローリング材に長手方向に沿って塗布用ガイド溝を形成し、この塗布用ガイド溝に接着剤を充填したことを特徴とするフローリング材の接着構造。
【請求項２】
前記塗布用ガイド溝の横断面は円弧状であることを特徴とする請求項１のフローリング材の接着構造。
【請求項３】
前記円弧の内径は塗布用ノズルの先端外径に一致していることを特徴とする請求項２のフローリング材の接着構造。
【請求項４】
前記塗布用ガイド溝の深さは約０．７mm位であることを特徴とする請求項２のフローリング材の接着構造。
【考案の詳細な説明】
【技術分野】
【０００１】
この考案はフローリング材の接着構造に関し、建造物における床面等にフローリング材を敷設する場合に使用されるものである。
【背景技術】
【０００２】
従来におけるこの種のフローリング材の接着構造においては、フローリング材の裏面に直接接着剤を塗布し、床面等の基材の表面に接着固定していた。そして、フローリング材の裏面には「反り止め溝」や「接着剤逃げ代溝」を設けることによって、接着剤によるフローリング材の反りや、接着剤の食み出しを防止していた。
【０００３】
【特許文献１】特開２００３−２０６６１８号公報
【特許文献１】特開平０７−２９２９４５号公報
【考案の開示】
【考案が解決しようとする課題】
【０００４】
しかしながら、かかる従来のフローリング材の接着構造にあっては、前記接着剤の塗布作業は敷設現場において、フローリング材の裏面に施工業者の感により行われていたため、施工業者によって又時と場合によって接着剤の塗布面および塗布量が異なり、この結果、接着不良が生じたり、又、前記接着剤逃げ代溝があるにも関わらず接着剤の食み出しが発生してフローリング材の表面の美観を損ないやすいという不都合を有した。
【０００５】
この考案の課題はこれらの不都合を解消することである。
【課題を解決するための手段】
【０００６】
前記不都合を解消するために、この考案に係るフローリング材の接着構造においては、フローリング材の裏面に接着剤を塗布し、基材の表面に接着固定したフローリング材の接着構造において、前記フローリング材に長手方向に沿って塗布用ガイド溝を形成し、この塗布用ガイド溝に接着剤を充填したものである。
【０００７】
この場合、前記塗布用ガイド溝の横断面を円弧状にすることができる。
【０００８】
なお、前記円弧の内径は塗布用ノズルの先端外径に一致させることができる。
【考案の効果】
【０００９】
この考案に係るフローリング材の接着構造は上記のように構成されているため、即ち、フローリング材の裏面に接着剤を塗布し、基材の表面に接着固定したフローリング材の接着構造において、前記フローリング材に長手方向に沿って塗布用ガイド溝を形成し、この塗布用ガイド溝に接着剤を充填したため、接着剤の塗布面および塗布量は何人が如何なる場所で作業しても略一致するものである。
【００１０】
よって、このフローリング材の接着構造を使用すれば、施工業者の感により行われていた従来と異なり、接着不良が生ずることも無く、接着剤の食み出しが発生してフローリング材の表面の美観を損なうことも無いものである。
【００１１】
この場合、前記塗布用ガイド溝の横断面を円弧状にすれば、接着剤の塗れ広がりを滑らかにすることができる。
【００１２】
なお、前記塗布用ガイド溝の円弧の内径を塗布用ノズルの先端外径に一致させれば、塗布用ノズルを塗布用ガイド溝に沿って移動することによって塗布用ガイド溝に接着剤を均一に充填しやすいものである。
【考案を実施するための最良の形態】
【００１３】
この考案に係るフローリング材の接着構造は実施するにあたって下記の構成に最も主要な特徴を有する。
【００１４】
「フローリング材」とは通常使用される小幅の長尺材であり、無垢材、集成材からなる。原木としては楢、オーク、チーク、花梨等の硬い木が選ばれることが多いが、檜、桐、杉等の質感の良い木材も使用される。
【００１５】
「接着剤」としてはウレタン系のものが適している。
【００１６】
「基材」には建造物の床面等が該当する。
【００１７】
「塗布用ガイド溝」はフローリング材の各幅に応じて特定の位置に形成される。幅6.0mm、深さは約０．７mm位であり、その横断面が半径６．０８mmの円弧状をしている。前記円弧の内径は塗布用ノズルの先端外径に一致していることが望ましい。深さを約０．７mmにしたのは接着剤を塗布する際のブレ、ズレを無くすためであり、また、横断面を円弧状にしたのは接着剤の塗れ広がりを滑らかにするためである。
【実施例】
【００１８】
以下、この考案の実施例を図面に基づいて説明する。
【００１９】
図１はこの考案に係るフローリング材の接着構造の断面、図２は図１において使用されるフローリング材の斜視図、図３は図２におけるIII―III線断面図、図４は接着性評価試験の施工試験体の写真、図５は剥がした状態の写真である。
【００２０】
図１において、Ａはフローリング材の接着構造、１０はこの接着構造Ａの使用されている建造物の床面（この考案の「基材」に相当する）である。この床面１０はコンパネ等によって形成されている。２０，２０，…はフローリング材であり、前記床面１０に接着剤Ｃ，Ｃ，…によって接着されている。このフローリング材２０は無垢の木材からなり小幅の長尺状をしている。
【００２１】
次に、図２及び図３にもとづいて前記フローリング材２０について説明する。
【００２２】
２１は前記フローリング材２０の本体であり、長尺状をしている。この本体２１の一側端縁には突条部２２が、多端縁には溝部２３が形成され、所謂本実加工がされている。２４,２４,…は塗布用ガイド溝であり、前記本体２１の長手方向に沿って形成されている。この塗布用ガイド溝２４は溝幅が略6.0mm、深さは約0.7mm位である。また、底面（横断面の）は円弧状をしておりその半径ｒは約6.0mmである。更に、前記塗布用ガイド溝２４は実部から20mm、塗布用ガイド溝２４と塗布用ガイド溝２４との間隔は約23.00〜46.00mm位である。
【００２３】
Ｃはウレタン系接着剤であり、前記塗布用ガイド溝２４に充填されている。このウレタン系接着剤Ｃの表面は前記塗布用ガイド溝２４から略盛り上がっている。このため、フローリング材２０を前記床面１０に重ねた際に、この盛り上がった分がフローリング材２０の本体２１裏面に食み出して前記塗布用ガイド溝２４内の接着剤Ｃとともに前記フローリング材２０を前記床面１０に接着固定する。
【００２４】
なお、３０は押し出しチューブであり、接着剤を封入している。３１は塗布用ノズルであり、前記押し出しチューブ３０の供給口に設置されている。この塗布用ノズル３１を介して前記押し出しチューブ３０内の接着剤Ｃを押し出しながら前記塗布用ガイド溝２４に沿って後退しながら充填する。この場合、前記塗布用ガイド溝２４の内径を前記塗布用ノズル３１の先端外径に一致させたため、前記塗布用ノズル３１を塗布用ガイド溝２４に沿って移動させながら接着剤Ｃを塗布用ガイド溝に均一に充填しやすいものである。
【００２５】
前記実施例に関するフローリング材２０の接着構造Ａについて接着性評価試験を行った。この接着性評価試験は実際に貼り合わせた場合の接着剤のぬれ広がり方や接着性について評価するために行う試験である。
【００２６】
（試験方法）
・   評価接着剤：KU928-CX（一液湿気硬化型ウレタン樹脂系接着剤）
・   被着材
下地材：コンパネ
仕上げ材：実施例のフローリング材
（溝の深さは２種類：0.5mm,1.0mm）
・   貼り合わせ条件
300mm長に切断したフローリング材の接着面に、塗布用ガイド溝に沿って接着剤を塗布し、コンパネに貼り合わせた。コンパネの下に根太を置き、フローリング材の長手方向両端に１本づつブラッドネイルを脳天打ちし、圧締めした。図４は施工試験体の写真である。
・   養生条件
23°Ｃ（湿度50パーセント）雰囲気下で、バールを用いてフローリング材を引き剥がし、抵抗感を確認した。また、接着剤のぬれ広がり（接着面積の多寡）、フローリング材に対する接着性を目視で確認した。図５は剥がした状態の写真である。
・   考察
塗布用ガイド溝としての効果は深さ1.0mmの方が高いが、接着剤のぬれ広がり（接着面積）に関しては深さ0.5mmの方がより多い接着面積を示した。それによって手はがしの抵抗感も深さ0.5mmの方がやや強かったが、フローリング材に対する接着面積や破壊状態から、今回試験したフローリング材のような溝間隔であれば、深さ1.0mmにおいても十分な塗布量になると考えられる。
【産業上の利用可能性】
【００２７】
この考案に係るフローリング材の接着構造はフローリング材に長手方向に沿って塗布用ガイド溝を形成し、この塗布用ガイド溝に接着剤を充填したため、接着剤の塗布面および塗布量は何人が如何なる場所で作業しても略一致する。施工業者の感により行われていた従来と異なり、接着不良が生ずることも無く、接着剤の食み出しが発生してフローリング材の表面の美観を損なうことも無い。よって、産業上の利用可能性は高いものである。
【図面の簡単な説明】
【００２８】
【図１】図１はこの考案に係るフローリング材の接着構造の断面である。
【図２】図２は図１において使用されるフローリング材の斜視図である。
【図３】図３は図２におけるIII―III線断面図である。
【図４】図４は接着性評価試験の施工試験体の写真を示したものである。
【図５】図５は同剥がした状態の写真を示したものである。
【符号の説明】
【００２９】
Ａ  …  フローリング材の接着構造
Ｃ  …  接着剤
１０  …  床面（基材）
２０  …  フローリング材
２１  …  フローリング材の本体
２２  …  突条部
２３  …  溝部
２４  …  塗布用ガイド溝
３０  …  押し出しチューブ
３１  …  塗布用ノズル
【図１】
0003185185.tif 000003
【図２】
0003185185.tif 000004
【図３】
0003185185.tif 000005
【図４】
0003185185.tif 000006
【図５】
0003185185.tif 000007